【手続補正書】
【提出日】平成18年2月27日(2006.2.27)
【手続補正１】
【補正対象書類名】明細書
【補正対象項目名】特許請求の範囲
【補正方法】変更
【補正の内容】
【特許請求の範囲】
【請求項１】遊技機での遊技に関連して発生する遊技情報を、会員登録を行った遊技者であって該遊技者を特定可能な会員遊技者特定情報が記録された会員遊技者特定記録媒体を所有する会員遊技者、又は該会員登録を行っていない遊技者である非会員遊技者に対して公開するための遊技用システムであって、
遊技機に対応して設けられ、前記会員遊技者特定記録媒体を受け付ける会員遊技者特定記録媒体受付手段と、前記遊技情報を含む各種の情報を表示する表示手段と、該表示手段に表示する表示内容の表示制御を行う表示制御手段と、を含む遊技情報公開装置と、
複数の遊技情報公開装置と通信可能に接続され、前記遊技情報を記憶する遊技情報記憶手段と、前記会員遊技者の属性に関する属性情報を前記会員遊技者特定情報に対応付けて各会員遊技者別に記憶する会員遊技者別属性情報記憶手段と、を含む遊技情報管理装置と、
からなり、
前記遊技情報管理装置は、
前記会員遊技者別属性情報記憶手段に記憶される属性情報に基づいて、前記会員遊技者に対して公開を許容する遊技情報を設定する会員用公開情報設定手段と、
前記会員遊技者特定記録媒体受付手段により前記会員遊技者特定記録媒体が受け付けられていないことに基づいて、前記非会員遊技者に対して公開を許容する遊技情報を設定する非会員用公開情報設定手段と、
前記会員遊技者特定記録媒体受付手段により前記会員遊技者特定記録媒体が受け付けられていることに基づいて、該会員遊技者特定記録媒体の記録情報から特定される会員遊技者の属性情報を前記会員遊技者別属性情報記憶手段の記憶内容から特定すると共に、該特定された属性情報と前記会員用公開情報設定手段により設定された設定内容から、該会員遊技者に対して公開を許容する遊技情報を特定する会員用公開情報特定手段と、
該会員用公開情報特定手段による特定結果を前記遊技情報公開装置に対して送信する特定結果送信手段と、
前記非会員用公開情報設定手段による設定内容を前記複数の遊技情報公開装置各々に対して送信する設定内容送信手段と、をさらに含み、
前記表示制御手段は、前記会員遊技者特定記録媒体受付手段により前記会員遊技者特定記録媒体が受け付けられているときは、前記特定結果送信手段から受信した特定結果に基づいて、前記会員遊技者に対して公開が許容された遊技情報を表示する表示制御を行うと共に、前記会員遊技者特定記録媒体受付手段により前記会員遊技者特定記録媒体が受け付けられていないときは、前記設定内容送信手段から受信した設定内容に基づいて、前記非会員遊技者に対して公開が許容された遊技情報を表示する表示制御を行うことを特徴とする遊技用システム。
【請求項２】請求項１に記載した遊技用システムであって、
前記会員遊技者別属性情報記憶手段は、前記会員遊技者が遊技を行うことにより発生する各種の遊技情報を累計記憶し、
前記会員用公開情報設定手段は、前記会員遊技者別属性情報記憶手段に記憶される各種の遊技情報の累計に基づいて、前記会員遊技者に対して公開を許容する遊技情報を設定することを特徴とする遊技用システム。
【請求項３】請求項１又は２に記載した遊技用システムであって、
前記会員用公開情報設定手段は、前記会員遊技者に対して公開を許容する情報として、前記遊技情報以外の各種の情報について設定し、
前記非会員用公開情報設定手段は、前記非会員遊技者に対して公開を許容する情報として、前記遊技情報以外の各種の情報について設定することを特徴とする遊技用システム。
【請求項４】請求項１〜３のいずれか１つに記載した遊技用システムであって、
前記表示制御手段は、前記会員遊技者特定記録媒体が非受付中である場合に、会員登録を促す旨の内容の表示制御を行うことを特徴とする遊技用システム。
【請求項５】請求項１〜４のいずれか１つに記載した遊技用システムであって、
前記会員遊技者が指定した電子メールアドレス宛に前記遊技情報を含む電子メールを送信する電子メール送信手段をさらに備えることを特徴とする遊技用システム。
【手続補正２】
【補正対象書類名】明細書
【補正対象項目名】０００８
【補正方法】変更
【補正の内容】
【０００８】
まず請求項１に係る発明は、遊技機での遊技に関連して発生する遊技情報を、会員登録を行った遊技者であって該遊技者を特定可能な会員遊技者特定情報が記録された会員遊技者特定記録媒体を所有する会員遊技者、又は該会員登録を行っていない遊技者である非会員遊技者に対して公開するための遊技用システムであって、遊技機に対応して設けられ、前記会員遊技者特定記録媒体を受け付ける会員遊技者特定記録媒体受付手段と、前記遊技情報を含む各種の情報を表示する表示手段と、該表示手段に表示する表示内容の表示制御を行う表示制御手段と、を含む遊技情報公開装置と、複数の遊技情報公開装置と通信可能に接続され、前記遊技情報を記憶する遊技情報記憶手段と、前記会員遊技者の属性に関する属性情報を前記会員遊技者特定情報に対応付けて各会員遊技者別に記憶する会員遊技者別属性情報記憶手段と、を含む遊技情報管理装置と、からなり、前記遊技情報管理装置は、前記会員遊技者別属性情報記憶手段に記憶される属性情報に基づいて、前記会員遊技者に対して公開を許容する遊技情報を設定する会員用公開情報設定手段と、前記会員遊技者特定記録媒体受付手段により前記会員遊技者特定記録媒体が受け付けられていないことに基づいて、前記非会員遊技者に対して公開を許容する遊技情報を設定する非会員用公開情報設定手段と、前記会員遊技者特定記録媒体受付手段により前記会員遊技者特定記録媒体が受け付けられていることに基づいて、該会員遊技者特定記録媒体の記録情報から特定される会員遊技者の属性情報を前記会員遊技者別属性情報記憶手段の記憶内容から特定すると共に、該特定された属性情報と前記会員用公開情報設定手段により設定された設定内容から、該会員遊技者に対して公開を許容する遊技情報を特定する会員用公開情報特定手段と、該会員用公開情報特定手段による特定結果を前記遊技情報公開装置に対して送信する特定結果送信手段と、前記非会員用公開情報設定手段による設定内容を前記複数の遊技情報公開装置各々に対して送信する設定内容送信手段と、をさらに含み、前記表示制御手段は、前記会員遊技者特定記録媒体受付手段により前記会員遊技者特定記録媒体が受け付けられているときは、前記特定結果送信手段から受信した特定結果に基づいて、前記会員遊技者に対して公開が許容された遊技情報を表示する表示制御を行うと共に、前記会員遊技者特定記録媒体受付手段により前記会員遊技者特定記録媒体が受け付けられていないときは、前記設定内容送信手段から受信した設定内容に基づいて、前記非会員遊技者に対して公開が許容された遊技情報を表示する表示制御を行うことを特徴とする遊技用システムである。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
また請求項４に係る発明は、請求項１〜３のいずれか１つに記載した遊技用システムであって、前記表示制御手段は、前記会員遊技者特定記録媒体が非受付中である場合に、会員登録を促す旨の内容の表示制御を行うことを特徴とする遊技用システムである。
【手続補正６】
【補正対象書類名】明細書
【補正対象項目名】００１４
【補正方法】変更
【補正の内容】
【００１４】
さらに請求項５に係る発明は、請求項１〜４のいずれか１つに記載した遊技用システムであって、前記会員遊技者が指定した電子メールアドレス宛に前記遊技情報を含む電子メールを送信する電子メール送信手段をさらに備えることを特徴とする遊技用システムである。
【手続補正７】
【補正対象書類名】明細書
【補正対象項目名】００７５
【補正方法】変更
【補正の内容】
【００７５】
以上のようにして公開レベルが設定されると、図１４に示すように、以下のような処理が行われる。まず会員管理コンピュータ６０において、優遇条件が入力装置６４及びディスプレイ６５により設定され（Ｓ３１）、公開レベル及び各種の情報の具体的な告知内容が入力装置６４及びディスプレイ６５により設定されると（Ｓ３２）、該設定された公開レベルの情報及び各種の情報の具体的な告知内容が会員管理コンピュータ６０から情報端末１０及び各カードユニット３０に対して送信され（Ｓ３３）、該送信された公開レベル及び各種の情報の具体的な告知内容が情報端末１０における制御部１２のＲＡＭ及び各カードユニット３０における制御部３２のＲＡＭに記憶される（Ｓ３４）。
【手続補正８】
【補正対象書類名】明細書
【補正対象項目名】００９６
【補正方法】変更
【補正の内容】
【００９６】
次に図１０は、普通会員の会員カード５の受付中に情報端末１０又はカードユニット３０のディスプレイ１５又は３５に表示される表示画面の一例を表す図である。このディスプレイ１５又は３５では、Ｄ０の初期画面が表示されている状態で会員カードＲ／Ｗ１４又は３４により普通会員の会員カード５が受け付けられると、該会員カード５に記録されている会員ＩＤが制御部１２又は３２のＲＡＭに記憶され、前記会員用公開情報特定手段による特定結果に基づいて、Ｄ２１〜Ｄ２４に示すメニュー表示画面，Ｄ２５に示す遊技情報表示画面，及びＤ２６に示す電子メール送信要求受付画面が表示される。なお各画面において、「戻る」ボタンが押圧操作されると一つ前の画面に戻り、「終了」ボタンが押圧操作されるとＤ０の初期画面に戻る。以下、Ｄ２１〜Ｄ２６の各画面の表示内容について説明する。
【手続補正９】
【補正対象書類名】明細書
【補正対象項目名】０１０８
【補正方法】変更
【補正の内容】
【０１０８】
まず請求項１に係る発明は、遊技機（パチンコ機２０）での遊技に関連して発生する遊技情報を、会員登録を行った遊技者であって該遊技者を特定可能な会員遊技者特定情報（会員ＩＤ）が記録された会員遊技者特定記録媒体（会員カード５）を所有する会員遊技者、又は該会員登録を行っていない遊技者である非会員遊技者に対して公開するための遊技用システム（１）であって、遊技機に対応して設けられ、前記会員遊技者特定記録媒体を受け付ける会員遊技者特定記録媒体受付手段（会員カードＲ／Ｗ３４）と、前記遊技情報を含む各種の情報を表示する表示手段（ディスプレイ３５）と、該表示手段に表示する表示内容の表示制御を行う表示制御手段（制御部３２）と、を含む遊技情報公開装置（カードユニット３０）と、複数の遊技情報公開装置と通信可能に接続され、前記遊技情報を記憶する遊技情報記憶手段（遊技機別遊技情報ＤＢ５３ａ及び会員個別遊技情報ＤＢ５３ｂ）と、前記会員遊技者の属性に関する属性情報を前記会員遊技者特定情報に対応付けて各会員遊技者別に記憶する会員遊技者別属性情報記憶手段（会員遊技者別属性情報ＤＢ６３ａ）と、を含む遊技情報管理装置（ホールコンピュータ５０及び会員管理コンピュータ６０）と、からなり、前記遊技情報管理装置は、前記会員遊技者別属性情報記憶手段に記憶される属性情報に基づいて、前記会員遊技者に対して公開を許容する遊技情報を設定する会員用公開情報設定手段（入力装置６４及びディスプレイ６５）と、前記会員遊技者特定記録媒体受付手段により前記会員遊技者特定記録媒体が受け付けられていないことに基づいて、前記非会員遊技者に対して公開を許容する遊技情報を設定する非会員用公開情報設定手段（入力装置６４及びディスプレイ６５）と、前記会員遊技者特定記録媒体受付手段により前記会員遊技者特定記録媒体が受け付けられていることに基づいて、該会員遊技者特定記録媒体の記録情報から特定される会員遊技者の属性情報を前記会員遊技者別属性情報記憶手段の記憶内容から特定すると共に、該特定された属性情報と前記会員用公開情報設定手段により設定された設定内容から、該会員遊技者に対して公開を許容する遊技情報を特定する会員用公開情報特定手段（制御部６２）と、該会員用公開情報特定手段による特定結果を前記遊技情報公開装置に対して送信する特定結果送信手段（通信部６１ａ）と、前記非会員用公開情報設定手段による設定内容を前記複数の遊技情報公開装置各々に対して送信する設定内容送信手段（通信部６１ａ）と、をさらに含み、前記表示制御手段は、前記会員遊技者特定記録媒体受付手段により前記会員遊技者特定記録媒体が受け付けられているときは、前記特定結果送信手段から受信した特定結果に基づいて、前記会員遊技者に対して公開が許容された遊技情報を表示する表示制御を行うと共に、前記会員遊技者特定記録媒体受付手段により前記会員遊技者特定記録媒体が受け付けられていないときは、前記設定内容送信手段から受信した設定内容に基づいて、前記非会員遊技者に対して公開が許容された遊技情報を表示する表示制御を行うことを特徴とする遊技用システムである。
【手続補正１０】
【補正対象書類名】明細書
【補正対象項目名】０１１１
【補正方法】削除
【補正の内容】
【手続補正１１】
【補正対象書類名】明細書
【補正対象項目名】０１１２
【補正方法】削除
【補正の内容】
【手続補正１２】
【補正対象書類名】明細書
【補正対象項目名】０１１３
【補正方法】変更
【補正の内容】
【０１１３】
また請求項４に係る発明は、請求項１〜３のいずれか１つに記載した遊技用システム（１）であって、前記表示制御手段（制御部３２）は、前記会員遊技者特定記録媒体（会員カード５）が非受付中である場合に、会員登録を促す旨の内容の表示制御を行うことを特徴とする遊技用システムである。
【手続補正１３】
【補正対象書類名】明細書
【補正対象項目名】０１１４
【補正方法】変更
【補正の内容】
【０１１４】
さらに請求項６に係る発明は、請求項１〜５のいずれか１つに記載した遊技用システム（１）であって、前記会員遊技者が指定した電子メールアドレス宛に前記遊技情報を含む電子メールを送信する電子メール送信手段（通信部６１ｂ及び電子メール作成部６６）をさらに備えることを特徴とする遊技用システムである。
【手続補正１４】
【補正対象書類名】明細書
【補正対象項目名】０１３６
【補正方法】変更
【補正の内容】
【０１３６】
まず請求項１に係る遊技用システムによれば、会員遊技者の属性情報（優遇会員か、普通会員か）に基づいて該会員遊技者に対して公開を許容する遊技情報を設定すると共に、非会員遊技者に対して公開を許容する遊技情報を設定し、会員遊技者特定記録媒体が受け付けられているときは、会員遊技者に対して公開が許容された遊技情報を表示すると共に、会員遊技者特定記録媒体が受け付けられていないときは、非会員遊技者に対して公開が許容された遊技情報を表示するので、会員遊技者と非会員遊技者とで公開する遊技情報のレベルを差別化することにより会員遊技者を非会員遊技者よりも優遇することができると共に、会員遊技者の中においても公開する遊技情報のレベルを差別化することにより優遇会員を普通会員よりも優遇することができる。従って、会員遊技者を非会員遊技者よりも優遇することにより、遊技場は会員遊技者を増加することができると共に、優遇会員を普通会員よりも優遇することにより、遊技場は会員遊技者の遊技意欲を向上することができる。また、ある営業日において公開する遊技情報の変更を希望する遊技場のニーズにも対応することができる。さらに公開する遊技情報のレベルを遊技情報管理装置で設定すれば良いので、各遊技情報公開装置に対して該設定を行わなくて済む。
【手続補正１５】
【補正対象書類名】明細書
【補正対象項目名】０１３９
【補正方法】削除
【補正の内容】
【手続補正１６】
【補正対象書類名】明細書
【補正対象項目名】０１４０
【補正方法】削除
【補正の内容】
【手続補正１７】
【補正対象書類名】明細書
【補正対象項目名】０１４１
【補正方法】変更
【補正の内容】
【０１４１】
また請求項４に係る遊技用システムによれば、会員遊技者特定記録媒体が非受付中である場合に会員登録を促す旨の内容が表示されるので、非会員遊技者に対して会員登録の宣伝を行うことができる。
【手続補正１８】
【補正対象書類名】明細書
【補正対象項目名】０１４２
【補正方法】変更
【補正の内容】
【０１４２】
さらに請求項５に係る遊技用システムによれば、会員遊技者に対して遊技情報を含む電子メールが送信されるので、会員遊技者を非会員遊技者よりもさらに優遇することができる。